(57)【要約】【課題】正確且つ簡便に料金を徴収することができる入退場課金装置及び入退場課金システムを提供する。【解決手段】遊技場に入場する際、利用者は、入退場課金装置１の操作部１４を操作してから、入場を所望している人数、及び利用予定時間に応じた入場料を、入金受付部１５に入金する。入金後、利用者は、記録部１６から排紙される入場券を１人１枚ずつ入手する。遊技場から退場する際、利用者から入場券を手渡された遊技場の管理者は、入場券に記録されているバーコードを読取部１７に読み取らせる。このとき、バーコードが示す利用者情報に含まれている入場時刻、及び時計部１２を用いて特定した退場時刻等に基づいて、制御部１０が、追加料金を精算する。追加料金が必要な場合、利用者は、追加料金を入退場課金装置１の入金受付部１５に入金する。以上の結果、入退場時の課金に係る人為的ミス及び金銭トラブル等の発生を抑制することができる。【選択図】図１
2011048683.tif 000002
【特許請求の範囲】
【請求項１】
入場時に料金を徴収し、退場時に精算するための入退場課金装置において、
時計部と、
該時計部が計時した時刻に基づいて、入場に関する時刻及び退場に関する時刻夫々を特定する特定部と、
入場時に徴収すべき料金を設定する設定部と、
該設定部が設定した料金の入金を受け付ける第１入金受付部と、
該第１入金受付部に入金された場合に、前記特定部が特定した入場に関する時刻を示す画像を記録シートに記録する記録部と、
記録シートに記録されている画像を読み取る読取部と、
該読取部が読み取った画像から、前記特定部が特定した入場に関する時刻を抽出する時刻抽出部と、
該時刻抽出部が抽出した入場に関する時刻、及び前記特定部が特定した退場に関する時刻に基づいて、退場時に追加で徴収すべき料金を精算する精算部と、
該精算部が精算した料金が正数である場合に、前記料金の入金を受け付ける第２入金受付部と
を備えることを特徴とする入退場課金装置。
【請求項２】
徴収すべき料金に係る料金情報と、該料金情報が有効になる条件とを関連付けて記憶する料金記憶部と、
前記料金記憶部に記憶されている条件が満たされている料金情報を前記料金記憶部から読み出す読出部と
を更に備え、
前記設定部は、前記読出部が読み出した料金情報に基づいて料金を設定するようにしてあり、
前記精算部は、前記料金情報、前記時刻抽出部が抽出した入場に関する時刻、及び前記特定部が特定した退場に関する時刻に基づいて、料金を精算するようにしてあることを特徴とする請求項１に記載の入退場課金装置。
【請求項３】
前記特定部が入場に関する時刻及び退場に関する時刻の何れかを特定した場合に、入場している人数を演算する演算部を更に備え、
前記第１入金受付部は、前記演算部が演算した人数が、所定人数以下である場合に入金を受け付け、前記所定人数超過である場合には受け付けないようにしてあることを特徴とする請求項１又は２に記載の入退場課金装置。
【請求項４】
前記読取部が画像を読み取るべき記録シートには、前記特定部が特定した入場に関する時刻を示す画像、又は、料金の値引きに係る値引情報を示す画像が記録してあり、
前記読取部が読み取った画像から、前記値引情報を抽出する値引抽出部を更に備え、
該値引抽出部が値引情報を抽出した場合、前記精算部は、前記値引抽出部が抽出した値引情報、前記時刻抽出部が抽出した入場に関する時刻、及び前記特定部が特定した退場に関する時刻に基づいて、料金を精算するようにしてあることを特徴とする請求項１乃至３の何れか一項に記載の入退場課金装置。
【請求項５】
団体入場する人数を受け付ける人数受付部を更に備え、
該人数受付部が人数を受け付けた場合に、前記設定部は、前記人数受付部が受け付けた人数に応じた料金を設定するようにしてあり、
前記人数受付部が人数を受け付けた場合に、前記記録部は、前記特定部が特定した入場に関する時刻と、団体を識別する団体情報とを示す画像を、前記人数受付部が受け付けた人数に等しい枚数の記録シート夫々に記録するようにしてあり、
前記読取部が読み取った画像から、団体情報を抽出する団体抽出部と、
該団体抽出部が抽出した団体情報、及び前記団体抽出部が団体情報を抽出した場合に前記特定部が特定した退場に関する時刻の内、最も早い退場に関する時刻を関連付けて記憶する退場記憶部と
を更に備え、
前記団体抽出部が団体情報を抽出した場合、前記精算部は、前記特定部が特定した退場に関する時刻に代えて、前記団体抽出部が抽出した団体情報に関連付けて前記退場記憶部に記憶してある退場に関する時刻を用いるようにしてあることを特徴とする請求項１乃至４の何れか一項に記載の入退場課金装置。
【請求項６】
前記精算部が精算した料金が正数である場合に、前記特定部が特定した退場に関する時刻を有効退場時刻として所定のタイミングまで記憶し続ける時刻記憶部を更に備え、
該時刻記憶部に有効退場時刻が記憶してある場合、前記精算部は、前記特定部が特定した退場に関する時刻に代えて、前記時刻記憶部に記憶してある最も早い有効退場時刻を用いるようにしてあることを特徴とする請求項１乃至５の何れか一項に記載の入退場課金装置。
【請求項７】
入場時に料金を徴収するための入場時課金装置と、退場時に精算するための退場時精算装置とを備える入退場課金システムであって、
前記入場時課金装置は、
第１時計部と、
該第１時計部が計時した時刻に基づいて、入場に関する時刻を特定する第１特定部と、
入場時に徴収すべき料金を設定する設定部と、
該設定部が設定した料金の入金を受け付ける第１入金受付部と、
該第１入金受付部に入金された場合に、前記第１特定部が特定した入場に関する時刻を示す画像を記録シートに記録する記録部と
を有し、
前記退場時精算装置は、
第２時計部と、
該第２時計部が計時した時刻に基づいて、退場に関する時刻を特定する第２特定部と、
記録シートに記録されている画像を読み取る読取部と、
該読取部が読み取った画像から、前記第１特定部が特定した入場に関する時刻を抽出する時刻抽出部と、
該時刻抽出部が抽出した入場に関する時刻、及び前記第２特定部が特定した退場に関する時刻に基づいて、退場時に追加で徴収すべき料金を精算する精算部と、
該精算部が精算した料金が正数である場合に、前記料金の入金を受け付ける第２入金受付部と
を有することを特徴とする入退場課金システム。
【発明の詳細な説明】
【技術分野】
【０００１】
本発明は、入退場時に課金する入退場課金装置及び入退場課金システムに関する。
【背景技術】
【０００２】
例えばスーパーマーケット又はゲームセンター等に、子供を遊ばせるための遊技場が並設されていることがある。遊技場の利用者は、入場時に、所望する利用予定時間Ｈ（Ｈは自然数）に応じた入場料を支払う。実際の利用時間が利用予定時間Ｈを超過した場合、利用者は、退場時に追加料金を支払う。
このような遊技場では、遊技場の管理者が時計を確認し、利用者毎の入場時刻及び退場時刻等を記帳し、追加料金を精算し、また、利用者との間で直接的に金銭の受け渡しを行なうことが多い。このため、人為的ミス又は金銭トラブル等の問題が発生し易い。
【０００３】
ところで、従来、入退場ゲートの開錠／施錠を制御する制御装置を備える入退場制御システムが提案されている（特許文献１参照）。特許文献１に記載の入退場制御システムでは、入退場ゲートを開錠するために、入場者の携帯電話機と制御装置との通信を確立した状態で、携帯電話機の電話番号を用いた認証が行なわれる。
このような入退場制御システムを遊技場に適用する場合には、入退場ゲートを開錠した時刻が、制御装置の内蔵時計から取得され、更に、制御装置の不揮発性メモリに記憶される。この結果、利用者の入退場時刻を正確に管理することができる。
【先行技術文献】
【特許文献】
【０００４】
【特許文献１】特開２００６−２２５８８９号公報
【発明の概要】
【発明が解決しようとする課題】
【０００５】
ところが、子供は携帯電話機を所持していないことがある。また、大きく身体を動かすような遊戯は、携帯電話機を所持したままでは危険である。このため、携帯電話機の所持を遊技場の利用条件とした場合には、利用者、及び利用者の遊技場内での行動を大幅に限定する、という問題が生じる。
しかも、特許文献１には、遊技場の課金に係る問題を解決する技術事項は開示されていない。更に、一般的な遊技場では、入場口又は退場口の開閉を厳密に管理する必要はない。従って、特許文献１に記載されているような入退場制御システムを、そのまま遊技場に適用することはできない。
【０００６】
そこで、使用者が入場料を投入すると、入金時刻が印刷された切符が発券される券売機を遊技場に設置することが考えられる。入金時刻は、実際の入場時刻とは異なるが、便宜的に入場時刻として取り扱われる。この場合、入場の際の人為的ミス及び金銭トラブル等は発生し難い。また、切符はシート状であるため、子供が切符を所持したまま遊戯しても安全である。
しかしながら、このような券売機では、退場時の人為的ミス及び金銭トラブル等を抑制することはできない。
【０００７】
本発明は斯かる事情に鑑みてなされたものであり、その主たる目的は、入場時に、入場時刻が記録された記録シートを発行し、退場時に、記録シートに記録された入場時刻と退場時刻とに基づいて料金を精算する構成とすることにより、正確且つ簡便に料金を徴収することができる入退場課金装置及び入退場課金システムを提供することにある。
【課題を解決するための手段】
【０００８】
本発明に係る入退場課金装置は、入場時に料金を徴収し、退場時に精算するための入退場課金装置において、時計部と、該時計部が計時した時刻に基づいて、入場に関する時刻及び退場に関する時刻夫々を特定する特定部と、入場時に徴収すべき料金を設定する設定部と、該設定部が設定した料金の入金を受け付ける第１入金受付部と、該第１入金受付部に入金された場合に、前記特定部が特定した入場に関する時刻を示す画像を記録シートに記録する記録部と、記録シートに記録されている画像を読み取る読取部と、該読取部が読み取った画像から、前記特定部が特定した入場に関する時刻を抽出する時刻抽出部と、該時刻抽出部が抽出した入場に関する時刻、及び前記特定部が特定した退場に関する時刻に基づいて、退場時に追加で徴収すべき料金を精算する精算部と、該精算部が精算した料金が正数である場合に、前記料金の入金を受け付ける第２入金受付部とを備えることを特徴とする。
【０００９】
本発明に係る入退場課金装置は、徴収すべき料金に係る料金情報と、該料金情報が有効になる条件とを関連付けて記憶する料金記憶部と、前記料金記憶部に記憶されている条件が満たされている料金情報を前記料金記憶部から読み出す読出部とを更に備え、前記設定部は、前記読出部が読み出した料金情報に基づいて料金を設定するようにしてあり、前記精算部は、前記料金情報、前記時刻抽出部が抽出した入場に関する時刻、及び前記特定部が特定した退場に関する時刻に基づいて、料金を精算するようにしてあることを特徴とする。
【００１０】
本発明に係る入退場課金装置は、前記特定部が入場に関する時刻及び退場に関する時刻の何れかを特定した場合に、入場している人数を演算する演算部を更に備え、前記第１入金受付部は、前記演算部が演算した人数が、所定人数以下である場合に入金を受け付け、前記所定人数超過である場合には受け付けないようにしてあることを特徴とする。
【００１１】
本発明に係る入退場課金装置は、前記読取部が画像を読み取るべき記録シートには、前記特定部が特定した入場に関する時刻を示す画像、又は、料金の値引きに係る値引情報を示す画像が記録してあり、前記読取部が読み取った画像から、前記値引情報を抽出する値引抽出部を更に備え、該値引抽出部が値引情報を抽出した場合、前記精算部は、前記値引抽出部が抽出した値引情報、前記時刻抽出部が抽出した入場に関する時刻、及び前記特定部が特定した退場に関する時刻に基づいて、料金を精算するようにしてあることを特徴とする。
【００１２】
本発明に係る入退場課金装置は、団体入場する人数を受け付ける人数受付部を更に備え、該人数受付部が人数を受け付けた場合に、前記設定部は、前記人数受付部が受け付けた人数に応じた料金を設定するようにしてあり、前記人数受付部が人数を受け付けた場合に、前記記録部は、前記特定部が特定した入場に関する時刻と、団体を識別する団体情報とを示す画像を、前記人数受付部が受け付けた人数に等しい枚数の記録シート夫々に記録するようにしてあり、前記読取部が読み取った画像から、団体情報を抽出する団体抽出部と、該団体抽出部が抽出した団体情報、及び前記団体抽出部が団体情報を抽出した場合に前記特定部が特定した退場に関する時刻の内、最も早い退場に関する時刻を関連付けて記憶する退場記憶部とを更に備え、前記団体抽出部が団体情報を抽出した場合、前記精算部は、前記特定部が特定した退場に関する時刻に代えて、前記団体抽出部が抽出した団体情報に関連付けて前記退場記憶部に記憶してある退場に関する時刻を用いるようにしてあることを特徴とする。
【００１３】
本発明に係る入退場課金装置は、前記精算部が精算した料金が正数である場合に、前記特定部が特定した退場に関する時刻を有効退場時刻として所定のタイミングまで記憶し続ける時刻記憶部を更に備え、該時刻記憶部に有効退場時刻が記憶してある場合、前記精算部は、前記特定部が特定した退場に関する時刻に代えて、前記時刻記憶部に記憶してある最も早い有効退場時刻を用いるようにしてあることを特徴とする。
【００１４】
本発明に係る入退場課金システムは、入場時に料金を徴収するための入場時課金装置と、退場時に精算するための退場時精算装置とを備える入退場課金システムであって、前記入場時課金装置は、第１時計部と、該第１時計部が計時した時刻に基づいて、入場に関する時刻を特定する第１特定部と、入場時に徴収すべき料金を設定する設定部と、該設定部が設定した料金の入金を受け付ける第１入金受付部と、該第１入金受付部に入金された場合に、前記第１特定部が特定した入場に関する時刻を示す画像を記録シートに記録する記録部とを有し、前記退場時精算装置は、第２時計部と、該第２時計部が計時した時刻に基づいて、退場に関する時刻を特定する第２特定部と、記録シートに記録されている画像を読み取る読取部と、該読取部が読み取った画像から、前記第１特定部が特定した入場に関する時刻を抽出する時刻抽出部と、該時刻抽出部が抽出した入場に関する時刻、及び前記第２特定部が特定した退場に関する時刻に基づいて、退場時に追加で徴収すべき料金を精算する精算部と、該精算部が精算した料金が正数である場合に、前記料金の入金を受け付ける第２入金受付部とを有することを特徴とする。
【００１５】
本発明にあっては、入退場課金装置は時計部及び特定部を備え、更に、入場時に料金を徴収するために、設定部、第１入金受付部、及び記録部を備え、退場時に精算するために、読取部、時刻抽出部、精算部、及び第２入金受付部を備える。
一方、本発明にあっては、入退場課金システムは入場時課金装置と退場時精算装置とを備える。入場時課金装置は、入場時に料金を徴収するために、第１時計部、第１特定部、設定部、第１入金受付部、及び記録部を有する。退場時精算装置は、退場時に精算するために、第２時計部、第２特定部、読取部、時刻抽出部、精算部、及び第２入金受付部を有する。
【００１６】
特定部（又は第１特定部）は、時計部（又は第１時計部）が計時した時刻に基づいて、入場に関する時刻を特定する。また、特定部（又は第２特定部）は、時計部（又は第２時計部）が計時した時刻に基づいて、退場に関する時刻を特定する。以下では、入場に関する時刻（又は退場に関する時刻）を入場時刻（又は退場時刻）という。また、利用者が実際に入場（又は退場）した時刻を実入場時刻（又は実退場時刻）という。一般に、入場時刻（又は退場時刻）は、実入場時刻（又は実退場時刻）に略等しいものと看做される。
【００１７】
利用者の入場に際し、第１入金受付部は、設定部が設定した料金（即ち入場時に徴収すべき料金である入場料）の入金を受け付ける。第１入金受付部に入金された場合に、記録部は、特定部又は第１特定部が特定した入場時刻を示す画像を記録シートに記録する。この画像が記録してある記録シートを、以下では入場券という。
その利用に際して料金の支払いを必要とする部屋又は区域等（以下、有料施設という）への入場を所望している利用者は、まず、入場料を第１入金受付部に入金する。次いで、利用者は、入場券を入手してから、有料施設に入場する。即ち、有料施設の管理者が、利用者から入場料を受け取る必要も、入場券に入場時刻を記入する必要もない。
【００１８】
一方、利用者の退場に際し、読取部は、記録シートに記録されている画像を読み取る。次いで、時刻抽出部が、読取部が読み取った画像から、特定部又は第１特定部が特定した入場時刻を抽出する。そして、精算部は、時刻抽出部が抽出した入場時刻、及び特定部又は第２特定部が特定した退場時刻に基づいて、退場時に追加で徴収すべき料金（即ち追加料金）を精算する。
このために、有料施設からの退場を所望している利用者、又はこの利用者から入場券を受け取った管理者は、入場券に記録されている画像を読取部に読み取らせる。しかしながら、画像の読み取り、入場時刻の抽出、及び追加料金の精算の際に、人為的ミスが発生する虞はない。
精算部が精算した追加料金が正数である場合、第２入金受付部は、追加料金の入金を受け付ける。この場合、利用者は、追加料金を第２入金受付部に入金する。即ち、有料施設の管理者が、利用者から追加料金を受け取る必要はない。
【００１９】
本発明にあっては、入退場課金装置は、入場時に料金を徴収し、退場時に精算するために、料金記憶部及び読出部を更に備える。
料金記憶部は、徴収すべき料金に係る料金情報（例えば単位時間毎の基本金額）と、この料金情報が有効になる条件（以下、料金条件という。例えば日時又は曜日等）とを関連付けて記憶する。
料金条件が満たされている場合、読出部は、満たされている料金条件に関連付けて料金記憶部に記憶されている料金情報を読み出す。
設定部は、読み出された料金情報に基づいて入場料を設定し、精算部は、読み出された料金情報、入場時刻、及び退場時刻に基づいて追加料金を精算する。
以上の結果、料金記憶部に記憶してある料金情報及び料金条件の組み合わせ次第で、例えば繁忙期（又は閑散期）には通常期よりも高い（又は安い）入場料及び／又は追加料金を徴収することができる。
【００２０】
本発明にあっては、入退場課金装置は、有料施設に入場している人数（以下、入場者数という）を定員以下に制限するために、演算部を更に備える。
演算部は、特定部が入場時刻及び退場時刻の何れかを特定した場合、即ち利用者が入場又は退場した場合に、入場者数を演算する。
入場者数が所定人数（即ち定員）以下である場合、第１入金受付部は入金を受け付ける。このため、利用者が有料施設に入場することができる。一方、入場者数が定員超過である場合、第１入金受付部は入金を受け付けない。このため、有料施設が満員であるにも関わらず利用者が更に入場してしまう不都合を、抑制することができる。
【００２１】
本発明にあっては、入退場課金装置は、退場時に精算するために、値引抽出部を更に備える。
料金の値引きに係る値引情報を示す画像が記録してある記録シートを、以下では割引券という。即ち、読取部が画像を読み取るべき記録シートとは、入場券又は割引券である。
読取部が、入場券に記録されている画像を読み取った場合、時刻抽出部が入場時刻を抽出する。一方、読取部が、割引券に記録されている画像を読み取った場合、値引抽出部が値引情報を抽出する。
値引抽出部が値引情報を抽出した場合、精算部は、抽出された値引情報、入場時刻、及び退場時刻に基づいて、追加料金を精算する。このとき精算される追加料金は、値引情報を省いて精算される追加料金よりも低額である。
【００２２】
以上の結果、入場券と割引券とを所持している利用者が支払うべき追加料金を、入場券のみを所持している場合よりも安くすることができる。従って、予め割引券を配布することは、利用者の利益になり、しかも、利用者数の増加を見込むことができるため、有料施設側の利益にもなる。
【００２３】
本発明にあっては、入退場課金装置は、入場時に料金を徴収するために、人数受付部を更に備え、退場時に精算するために、団体抽出部及び退場記憶部を更に備える。
複数人の利用者が、同一の団体（家族又は幼稚園等）に所属していることがある。団体に所属している個々の利用者を、以下では、団体利用者という。
同一の団体に所属している団体利用者は、全員が、有料施設から同時的に入退場することが多い。
そこで、団体利用者の入場に際し、人数受付部は、団体入場する人数、即ち同一の団体に所属している団体利用者の人数を受け付ける。団体利用者は、人数受付部に、団体入場する人数Ｎ（Ｎ≧２の自然数）を与える。記録部は、入場時刻と、団体を識別する団体情報とを示す画像を、Ｎ枚の記録シートに記録する。この画像が記録してある各記録シートを、以下では団体入場券という。団体利用者は、各自が１枚ずつ団体入場券を入手する。団体入場券に記録されている画像が示す入場時刻及び団体情報は、何れも同一の入場時刻及び団体情報である。
【００２４】
団体利用者の退場に際し、読取部が、団体入場券に記録されている画像を読み取った場合、団体抽出部が団体情報を抽出する。そして、退場記憶部は、抽出された団体情報と、団体抽出部が団体情報を抽出した場合に特定された退場時刻の内、最も早い退場時刻とを関連付けて記憶する。ここで、最も早い退場時刻とは、同一の団体に所属している団体利用者の内、最初に退場した団体利用者の退場時刻（以下、団体退場時刻という）である。
団体抽出部が団体情報を抽出した場合、精算部は、入場時刻及び団体退場時刻に基づいて、料金を精算する。
つまり、同一の団体情報によって識別される団体に所属している団体利用者は、全員が同一の入場時刻に入場し、また、団体退場時刻に退場したと看做される。この結果、本発明の入退場課金装置は、団体利用者同士で追加料金の有無又は金額が異なる不公平の発生を抑制することができる。
【００２５】
本発明にあっては、入退場課金装置は、退場時に精算するために、時刻記憶部を更に備える。
有料施設からは、複数人の利用者が同時的に退場することがあり、追加料金の入金が必要な場合には、退場を所望する利用者の待ち行列が発生する可能性が高い。ところが、退場時刻の特定は機械的に行なわれるため、利用者の実退場時刻よりも、機械的に特定された退場時刻の方が大幅に遅くなることがある。
【００２６】
そこで、時刻記憶部は、精算部が精算した料金が正数である場合、即ち、追加料金の入金が必要な場合に、特定部が特定した退場時刻を有効退場時刻として所定のタイミングまで記憶し続ける。このような有効退場時刻は、同時的に退場した複数人の利用者夫々の実退場時刻に略等しいと看做せる。
時刻記憶部に有効退場時刻が記憶してある場合、精算部は、入場時刻及び最も早い有効退場時刻に基づいて、料金を精算する。この結果、本発明の入退場課金装置は、同時的に退場した複数人の利用者に係る金銭トラブルの発生を抑制することができる。
【発明の効果】
【００２７】
本発明の入退場課金装置及び入退場課金システムによる場合、有料施設の管理者が、利用者毎の入場時刻の記録及び追加料金の精算等を行なう必要がない。更に、入場料及び追加料金夫々を、管理者と利用者との間で直接的に授受する必要がない。以上の結果、入退場時の課金に係る人為的ミス及び金銭トラブル等の発生を抑制することができる。
また、有料施設の利用条件（例えば携帯電話機の所持）が存在せず、しかも、記録シートは携帯が容易であり、携帯中の安全性も高い。以上の結果、有料施設の利用者、及び利用者の有料施設内での行動が大幅に限定されることはない。
【００２８】
更にまた、入退場課金装置は、入退場時刻を特定するための時計部を備えて入ればよいため、入場時刻を特定するための時計部と退場時刻を特定するための時計部とを個別に備えている場合とは異なり、時計部同士の誤差によるトラブルを防止することができる。
有料施設の入場口と退場口とが兼用である場合には、入退場口に入退場課金装置を設置すればよい。この場合、入退場口における装置設置スペースを最小限にすることができる。一方、有料施設の入場口と退場口とが異なる場合には、入退場課金システムが備える入場時課金装置（又は退場時精算装置）を入場口（又は退場口）に設置すればよい。この場合、入場口（又は退場口）における装置設置スペースを最小限にすることができる。しかも、入場を所望する利用者と退場を所望する利用者とが同一の装置を使用することによる待ち行列の発生を防止することができる。
【図面の簡単な説明】
【００２９】
【図１】本発明の実施の形態１に係る入退場課金装置の構成を示すブロック図である。
【図２】本発明の実施の形態１に係る入退場課金装置で使用される入場券及び割引券の一例を示す模式図である。
【図３】本発明の実施の形態１に係る入退場課金装置が備える記憶部に記憶される料金表の一例を示す模式図である。
【図４】本発明の実施の形態１に係る入退場課金装置が備える記憶部に記憶される人数表の一例を示す模式図である。
【図５】本発明の実施の形態１に係る入退場課金装置で実行される入場演算処理の手順を示すフローチャートである。
【図６】本発明の実施の形態１に係る入退場課金装置で実行される入場演算処理の手順を示すフローチャートである。
【図７】本発明の実施の形態１に係る入退場課金装置が備える記憶部に記憶される団体表の一例を示す模式図である。
【図８】本発明の実施の形態１に係る入退場課金装置が備える記憶部に記憶される個人表の一例を示す模式図である。
【図９】本発明の実施の形態１に係る入退場課金装置で実行される退場演算処理の手順を示すフローチャートである。
【図１０】本発明の実施の形態１に係る入退場課金装置で実行される退場演算処理の手順を示すフローチャートである。
【図１１】本発明の実施の形態２に係る入退場課金システムの構成を示すブロック図である。
【発明を実施するための形態】
【００３０】
以下、本発明を、その実施の形態を示す図面に基づいて詳述する。
【００３１】
実施の形態  １．
図１は、本発明の実施の形態１に係る入退場課金装置１の構成を示すブロック図であり、図２（ａ）及び図２（ｂ）は、入退場課金装置１で使用される入場券Ｓ１及び割引券Ｓ２の一例を示す模式図である。
図１に示す入退場課金装置１は、制御部１０、記憶部１１、時計部１２、表示部１３、操作部１４、入金受付部１５、記録部１６、及び読取部１７を備える。
入退場課金装置１は、例えば午前９時に開場し、午後６時に閉場する図示しない有料施設（本実施の形態では遊技場）の入場口及び退場口兼用の入退場口に設置される。
【００３２】
図２（ａ）に示す入場券Ｓ１は、感熱紙製の記録シートを用いてなり、利用者が遊技場に入場する際に、入退場課金装置１によって発券される。入場券Ｓ１には、利用者を識別する利用者番号、遊技場の入場券であることを示す題字、入場料、遊技場への入場時刻、及び遊技場からの退場予定時刻を夫々示す画像と、バーコードＢ１とが記録されている。この入場時刻は、時計部１２が計時したものである。
個人利用の利用者（以下、個人利用者という）に対して発券される入場券Ｓ１と、団体利用の利用者（即ち団体利用者）に対して発券される入場券Ｓ１とは同様のものである。以下では、個人利用者と団体利用者とを特に区別しない場合、単に利用者という。
ただし、個人利用者の入場券Ｓ１に記録されているバーコードＢ１は、利用者番号、入場料、入場時刻、及び退場予定時刻を含む利用者情報を示す画像である。一方、団体利用者の入場券Ｓ１に記録されているバーコードＢ１は、利用者番号、入場料、利用者が所属している団体を識別する団体情報、入場時刻、及び退場予定時刻を含む利用者情報を示す画像である。
【００３３】
図２（ｂ）に示す割引券Ｓ２は、普通紙製の記録シートを用いてなり、例えば遊技場が並設されている図示しない商業施設にて配布されている。割引券Ｓ２には、割引券Ｓ２を識別する発券番号、遊技場の割引券であることを示す題字、及び割引内容を夫々示す画像と、バーコードＢ２とが記録されている。バーコードＢ２は、発券番号と、料金の値引きに係る値引情報（即ち割引内容。本実施の形態では、延長３０分無料）とを含む割引券情報を示す画像である。なお、感熱紙製の割引券Ｓ２は、例えば退場時の精算後に入退場課金装置１が発券してもよい。また、割引券Ｓ２に使用期限が設定されていてもよい。
紙製の記録シートは、例えばサーマルカード又はリライトカード等と比べて、薄型、軽量、且つ安価である。
【００３４】
遊技場の利用者は、入場時に入退場口で入場手続きをする。具体的には、利用者は、入退場課金装置１の操作部１４を操作してから、入場する人数及び利用予定時間Ｈに応じた入場料（本実施の形態では、通常、１人頭１時間毎３００円）を入金受付部１５に入金する。入金後、利用者は、記録部１６から排紙される入場券Ｓ１を１人１枚ずつ入手する。
以上のような入場手続きの際に、遊技場の管理者に入場料が支払われることはない。また、管理者が時計を確認し、利用者の名前及び入場時刻等を記録する必要はない。
【００３５】
入場手続き終了後、使用者は、遊技場の利用を開始する。
遊技場の利用可能時間は、入場券Ｓ１に記録されている入場時刻から退場予定時刻までである。ただし、実入場時刻及び実退場時刻と、後述するように特定される入場時刻及び退場時刻との差を、本実施の形態では５分とし、遊技場の正味の利用時間がＨ時間となるように、退場予定時刻は、入場時刻のＨ時間５分後に設定される。
利用者は、遊技場の利用中には、入場券Ｓ１及び割引券Ｓ２を携帯する。入場券Ｓ１及び割引券Ｓ２夫々は、例えば折り畳んで小銭入れに収納することが容易であるため、携帯の利便性が高く、しかも安全である。
一般に、利用者は退場予定時刻までに退場手続きをするが、退場予定時刻以降も遊技場を利用し続けることを所望する利用者は、任意の時刻まで延長して遊技場を利用する。
【００３６】
遊技場の利用を終了した利用者は、退場時に入退場口で退場手続きをする。具体的には、利用者は、管理者に入場券Ｓ１及び割引券Ｓ２を手渡す。管理者は、入場券Ｓ１に記録されているバーコードＢ１及び割引券Ｓ２に記録されているバーコードＢ２を順に読取部１７に読み取らせる。このとき、バーコードＢ１が示す利用者情報、バーコードＢ２が示す割引券情報、及び退場時刻等に基づいて、制御部１０が追加料金を精算する。
利用者の退場時刻が退場予定時刻を超過している場合には、超過した時間に応じた追加料金（本実施の形態では、通常、延長１５分毎１００円）が発生する。このとき、利用者は、追加料金を入退場課金装置１の入金受付部１５に入金する。利用者の退場時刻が退場予定時刻以前である場合には、追加料金は発生しない（即ち０円である）ため、当然、追加料金の入金は不要である。
以上のような退場手続きの際に、管理者に追加料金が支払われることはない。また、管理者が時計を確認する必要、及び追加料金を精算する必要はない。
退場手続き終了後、使用者は、遊技場から退去する。
【００３７】
次に、入退場課金装置１の詳細な構成及び動作を説明する。
制御部１０は、ＲＯＭと、ＲＯＭに記憶されているコンピュータプログラムに従って各種処理を実行するＣＰＵと、ＣＰＵが作業領域として用いるＲＡＭとを備え、入退場課金装置１の制御中枢として機能する。
記憶部１１は、例えばハードディスクを用いてなる不揮発性の大容量記憶装置である。記憶部１１には、データテーブルである履歴表１１０、料金表１１１、人数表１１２、団体表１１３、及び個人表１１４夫々が記憶されている。
【００３８】
時計部１２は、年月日、曜日、及び時刻（以下、日時という）を分単位で計時する。なお、時計部１２は秒単位又は５分単位等で日時を計時してもよい。
制御部１０は、操作部１４が操作された場合に時計部１２が計時した日時を入場時刻として特定し、読取部１７がバーコードＢ１を読み取った場合に時計部１２が計時した日時（以下、読取時刻という）を退場時刻として特定する。つまり、制御部１０は、本発明の実施の形態に係る特定部として機能する。なお、制御部１０は、例えば、入金受付部１５に入金された日時を入場時刻としてもよく、図示しない退場手続き開始キーが操作された日時を退場時刻としてもよい。
このように、単一の時計部１２を用いて入退場時刻を計時するため、たとえ時計部１２が計時した日時が狂っていたとしても、入退場時刻から算出される利用時間に誤差は生じない。このため、時計部１２の狂いによる追加料金の精算ミスが防止される。
【００３９】
表示部１３は、入退場課金装置１を使用する利用者に対して報知すべき各種情報を表示するためのものであり、文字盤１３１、入場可否ランプ１３２、及び退去可否ランプ１３３を備える。
文字盤１３１は、例えばデジタルＬＥＤ表示器を用いてなり、数字及び／又はアルファベットが所定個まで表示可能な構成である。
遊技場には定員Ｌ（Ｌは自然数）が設定されている。遊技場に入場している利用者の人数（即ち入場者数）がＬ人以上である場合、遊技場が満員であるため、入場可否ランプ１３２は消灯する。一方、入場者数がＬ人未満である場合、入場可否ランプ１３２は点灯する。即ち、入場可否ランプ１３２は、利用者の遊技場への入場の可否を表示する。
【００４０】
退去可否ランプ１３３は、赤色及び青色夫々の光源を有する。退場時の精算によって追加料金が発生した場合、退去可否ランプ１３３は、追加料金が入金受付部１５に入金されるまで、赤く点灯し続ける。追加料金が発生しなかった場合、及び追加料金が入金受付部１５に入金された場合夫々には、退去可否ランプ１３３は、所定時間が経過するか、さもなくば次の利用者が入場手続き又は退場手続きを開始するまで、青く点灯し続ける。即ち、退去可否ランプ１３３は、利用者の遊技場からの退去の可否を表示する。
本実施の形態の遊技場においては、個人利用の場合よりも団体利用の場合の方が入場料が入場料が安価になる。ただし、団体入場する人数（以下、団体人数という）Ｎが、所定の団体利用可能人数以上である団体のみが団体利用可能であるものとする。
【００４１】
個人利用と団体利用とを区別するために、操作部１４は、１個の個人キー１４１及び複数個の団体キー１４２，１４２，…を備える。また、利用者が所望する利用予定時間Ｈ（Ｈは自然数）を受け付けるために、複数個の時間キー１４３，１４３，…を備える。
各団体キー１４２（又は各時間キー１４３）は、互いに異なる団体人数Ｎ（又は利用予定時間Ｈ）に対応する。例えば、一の団体キー１４２（又は一の時間キー１４３）は、４人（又は１時間）に対応し、他の団体キー１４２（又は他の時間キー１４３）は、１０人（又は２時間）に対応する。つまり、団体キー１４２は、本発明の実施の形態における人数受付部として機能する。
【００４２】
個人利用者は個人キー１４１を操作することによって、個人で入場する人数“１”を入退場課金装置１に入力し、次いで、時間キー１４３を操作することによって、利用予定時間Ｈを入退場課金装置１に入力する。
団体利用者は団体キー１４２を操作することによって、団体人数Ｎを入退場課金装置１に入力し、更に、時間キー１４３を操作することによって、利用予定時間Ｈを入退場課金装置１に入力する。
個人キー１４１又は団体キー１４２が操作された場合に、入場時刻が特定され、次いで、文字盤１３１に、入金すべき入場料が表示される。
個人キー１４１又は団体キー１４２が操作された場合に入退場課金装置１に入力される人数は、入退場課金装置１が発券すべき入場券Ｓ１の枚数Ｍ（Ｍは自然数）に等しい。
【００４３】
なお、操作部１４は、１個のテンキーを用いて団体キー１４２及び時間キー１４３を兼用する構成でもよい。この場合、入退場課金装置１に対する数値入力の自由度が向上される。ただし、入力された団体人数Ｎが団体利用可能人数未満である場合には、文字盤１３１に、エラーメッセージが表示される。
また、入力された利用予定時間Ｈに基づいて算出される退場予定時刻が遊技場の閉場時刻を超過する場合、制御部１０は、退場予定時刻を強制的に閉場時刻とし、利用予定時間Ｈが、入場時刻から閉場時刻までの時間に対応するよう自動的に計算してもよい。
【００４４】
入金受付部１５は、投入口１５０、識別部１５１、金庫１５２、排出口１５３、及び開閉部１５４を備える。入金受付部１５は、本発明の実施の形態における第１入金受付部及び第２入金受付部として機能する。２種類の入金受付部を１個の入金受付部１５によって実現しているため、入退場課金装置１はコンパクトな構成である。
投入口１５０には、利用者によって硬貨又は紙幣が投入される。投入口１５０から投入された貨幣は、識別部１５１によって、真贋及び金種が識別される。識別部１５１は、識別後の貨幣を金庫１５２に収容し、収容した貨幣の金額を示す金額信号を制御部１０へ出力する一方で、贋金は、排出口１５３へ排出する。金庫１５２は施錠されており、例えば管理者が無断で開錠することはできないようにしてある。また、入金受付部１５は、釣銭を排出口１５３へ排出するが、これに限らず、釣銭が発生するような貨幣を受け付けない構成でもよい。なお、入金受付部１５は、硬貨のみを受け付ける構成でもよい。
【００４５】
入場者数がＬ人以上である（又はＬ人未満である）場合、開閉部１５４は投入口１５０を閉鎖（又は開放）する。即ち、開閉部１５４は、遊技場が満員である場合に、利用者が誤って投入口１５０へ貨幣を投入することを防止する。なお、開閉部１５４を備えていない入金受付部１５は、入場者数がＬ人以上である場合、投入口１５０へ投入された貨幣をそのまま排出口１５３へ排出する。
記録部１６は、感熱紙に画像を形成する感熱式プリンタを用いてなり、空白の記録シートを感熱式プリンタへ供給し、感熱式プリンタによって画像が記録された記録シートを図示しない排紙口から排紙する。記録部１６が記録シートに、バーコードＢ１を含む画像を記録した場合、記録部１６から排紙される記録シートは、入場券Ｓ１である。
このような記録部１６は、記録シートに対する記録の際にインク又はトナー等を消費しないため、ランニングコストが低い。なお、記録部１６は、普通紙に画像を記録する構成でもよい。この場合、普通紙製の入場券Ｓ１が排紙される。
【００４６】
読取部１７はバーコードリーダを用いてなり、バーコードＢ１（又はバーコードＢ２）を読み取り、読み取った画像から利用者情報（又は割引券情報）を抽出する。つまり、読取部１７は本発明の実施の形態における読取部、時刻抽出部、値引抽出部、及び団体抽出部として機能する。
なお、読取部１７は、二次元コードを読み取る構成でもよい。この場合、記録部１６は、二次元コードが記録された入場券Ｓ１を排紙する。また、割引券Ｓ２には二次元コードが記録される。
更に、読取部１７はスキャナを用いてなり、入場券Ｓ１又は割引券Ｓ２に記録されている画像を読み取ってなる画像データを、図示しない文字認識部に入力する構成でもよい。文字認識部は、入力された画像データに対して文字認識処理を施すことによって、利用者情報又は割引券情報を抽出する。この場合、読取部１７は本発明の実施の形態における読取部として機能し、文字認識部が各種抽出部として機能する。
【００４７】
図３及び図４は、記憶部１１に記憶される料金表１１１及び人数表１１２の一例を示す模式図である。
図３に示す料金表１１１は、記憶部１１に予め記憶してある。料金表１１１を記憶している記憶部１１は、本発明の実施の形態における料金記憶部として機能する。
料金表１１１には、徴収すべき入場料及び追加料金夫々に係る料金情報と、この料金情報が有効になる条件（即ち料金条件）とが関連付けて記憶されている。
【００４８】
具体的には、料金条件が「土日」（又は「平日９：００〜１１：００」）である場合、個人利用者の入場料の基本金額は１人頭１時間毎「３００円」（又は「２００円」）であり、追加料金の基本金額は、延長１５分毎「２００円」（又は「１００円」）である。一方、料金条件が、「土日」及び「平日９：００〜１１：００」以外であることを示す「通常」である場合、個人利用者の入場料の基本金額は１人頭１時間毎「３００円」であり、追加料金は、延長１５分毎「１００円」である。団体利用者の入場料は、個人利用者の入場料に、割引率Ｒ（Ｒは０＜Ｒ＜１の実数）を乗算したものである。追加料金は、個人利用でも団体利用でも同一である。
【００４９】
以上のような例では、繁忙期である土曜日及び日曜日夫々には通常期よりも追加料金を高額に設定することによって売上金の増大を見込み、閑散期である平日の午前９時から１１時までには通常期よりも入場料を低額に設定することによって利用者数の増大を見込むことができる。
料金条件が満たされているか否かは、時計部１２が計時した現在日時に基づいて判定される。例えば、現在日時が土曜日又は日曜日であれば、料金条件「土日」が満たされ、基本金額「３００円」及び「２００円」が有効になる。入場料及び追加料金夫々の有効な基本金額を、以下では、有効基本金額Ｅ及び有効基本金額Ａという。
なお、料金条件を、利用予定時間Ｈ、又は退場予定時刻からの延長時間等の長短としてもよい。この場合、料金情報としては、利用予定時間Ｈが長くなるほど入場料の基本金額が安くなるようなもの、又は、延長時間が所定時間を越えた場合には追加料金を一定にする（即ち追加料金に上限を設定する）ようなもの等が考えられる。
【００５０】
図４に示す人数表１１２は、制御部１０によって記憶部１１に記憶される。
人数表１１２には、遊技場に入場した利用者の総数（以下、入場者総数という）と、遊技場から退場した利用者の総数（以下、退場者総数という）と、遊技場に現在入場している人数（即ち入場者数）とが関連付けて記憶されている。入場者総数、退場者総数、及び入場者数夫々のデフォルト値は“０”である。
操作部１４において、個人キー１４１又は団体キー１４２が操作された場合、制御部１０は、入場者総数を、操作された個人キー１４１又は団体キー１４２に対応する入場券Ｓ１の枚数Ｍに等しい数値だけインクリメントした値に更新する。更に詳細には、個人キー１４１が操作された場合、制御部１０は、入場者総数を“１”インクリメントした値に更新する。一方、団体キー１４２が操作された場合、制御部１０は、入場者総数を、操作された団体キー１４２に対応する団体人数Ｎに等しい数値だけインクリメントした値に更新する。
【００５１】
読取部１７がバーコードＢ１を読み取った場合、制御部１０は、退場者総数を“１”インクリメントした値に更新する。
また、制御部１０は、入場者総数及び退場者総数の何れか一方を更新した場合に、入場者数を、入場者総数から退場者総数を減算した減算結果に更新する。
つまり、入場者数が演算されるタイミングとは、入場者総数又は退場者総数が更新されたタイミング、即ち、制御部１０が入場時刻及び退場時刻の何れかを特定したタイミングである。
人数表１１２に記憶された数値は、所定のタイミング（例えば入退場課金装置１が備える図示しないリセットスイッチが操作されたタイミング）で“０”にリセットされる。
【００５２】
図５及び図６は、入退場課金装置１で実行される入場演算処理の手順を示すフローチャートである。以下では、団体キー１４２が操作された場合を主として説明する。何故ならば、個人キー１４１が操作された場合でも、略同様の処理を実行するからである。
図５に示すように、制御部１０は、団体キー１４２が操作されたか否かを判定し（Ｓ１１）、操作されていない場合（Ｓ１１でＮＯ）、Ｓ１１の処理を繰り返し実行する。団体キー１４２が操作された場合（Ｓ１１でＹＥＳ）、制御部１０は、時計部１２が計時した日時を入場時刻として記憶部１１に一時的に記憶する（Ｓ１２）。次いで、制御部１０は、操作された団体キー１４２に対応する団体人数Ｎに基づいて、人数表１１２を更新する（Ｓ１３）。この結果、入場者数の増加分が演算される。Ｓ１３における制御部１０は、本発明の実施の形態における演算部として機能する。
【００５３】
次いで、制御部１０は、料金表１１１を参照し、Ｓ１２で記憶した入場時刻に基づいて、入場料の有効基本金額Ｅを料金表１１１から読み出す（Ｓ１４）。つまり、Ｓ１４における制御部１０は、本発明の実施の形態における読出部として機能する。
更に、制御部１０は、時間キー１５３が操作されたか否かを判定し（Ｓ１５）、操作されていない場合（Ｓ１５でＮＯ）、Ｓ１５の処理を繰り返し実行する。
時間キー１５３が操作された場合（Ｓ１５でＹＥＳ）、制御部１０は、操作された時間キー１４３に対応する利用予定時間Ｈと、下記の式（１）に基づき、入場料ECを算出する（Ｓ１６）。つまり、Ｓ１６における制御部１０は、本発明の実施の形態における設定部として機能する。
EC＝Ｅ×Ｈ×Ｎ×Ｒ…（１）
なお、Ｓ１１で個人キー１４１が操作されている場合、Ｓ１６における制御部１０は、下記の式（２）を用いる。
EC＝Ｅ×Ｈ…（２）
【００５４】
Ｓ１６の処理終了後、制御部１０は、Ｓ１６で算出した入場料ECを文字盤１３１に表示させ（Ｓ１７）、識別部１５１から入力された金額信号に基づいて、入金受付部１５に入場料ECが入金されたか否かを判定する（Ｓ１８）。まだ入金されていない場合、又は入金された金額が不足している場合（Ｓ１８でＮＯ）、制御部１０は、Ｓ１８の処理を繰り返し実行する。
入金受付部１５に入場料ECが入金された場合（Ｓ１８でＹＥＳ）、制御部１０は、Ｎ人分の相異なる利用者番号を生成し（Ｓ１９）、入場時刻及び利用予定時間Ｈに基づいて退場予定時刻を演算する（Ｓ２０）。このように、退場予定時刻とは、時計部１２が計時した入場時刻に基づいて求められるものであり、後述するＳ７２における追加料金の精算処理では、時計部１２を用いて制御部１０が特定した入場時刻そのものではなく、退場予定時刻が用いられる。
【００５５】
更に、制御部１０は、１種類の団体情報を生成する（Ｓ２１）。次いで、制御部１０は、遊技場の利用状況を示す利用履歴情報を、履歴表１１０に記憶させる（Ｓ２２）。具体的には、利用履歴情報とは、Ｎ人分の利用者番号、団体情報、入場時刻、退場予定時刻、及び入場料を関連付けてなる情報である。なお、Ｓ１１で個人キー１４１が操作されている場合、利用者情報には、１人分の利用者番号が含まれ、団体情報は含まれない。この場合、制御部１０はＳ２１の処理を実行しない。
【００５６】
Ｓ２２の処理終了後、制御部１０は、図６に示すように、変数ｎに“１”をセットする（Ｓ３１）。次に、制御部１０は、入場券Ｓ１に記録すべき画像の画像データを生成する（Ｓ３２）。Ｓ３２で生成される画像データとは、ｎ人目の利用者番号、遊技場の入場券であることを示す題字、入場料、入場時刻、及び退場予定時刻を夫々示す画像、並びに、ｎ人目の利用者番号と、入場料、団体情報、入場時刻、及び退場予定時刻とを含む利用者情報を示すバーコードＢ１の画像データである。なお、Ｓ３２で実行される画像データ生成処理は、図示しない画像処理部がハード的に実行する構成でもよい。
そして、制御部１０は、生成した画像データを記録部１６に入力することによって、入場券Ｓ１を発券する（Ｓ３３）。このとき、記録部１６は、入力された画像データに基づく画像を、空白の記録シートに記録する。
【００５７】
更に、制御部１０は、変数ｎが団体人数Ｎ以上であるか否かを判定し（Ｓ３４）、ｎ＜Ｎの場合（Ｓ３４でＮＯ）、変数ｎを“１”インクリメントして（Ｓ３５）、処理をＳ３２へ戻す。
以上のようにして、Ｓ３３の処理がＮ回繰り返されるため、利用者はＮ枚の入場券Ｓ１，Ｓ１，…を入手する。Ｓ１７の処理で文字盤１３１に表示された数字は、発券完了後に消去される。
なお、Ｓ１１で個人キー１４１が操作されている場合、Ｓ３１、Ｓ３４、及びＳ３５の処理は実行されず、Ｓ２２の処理終了後、Ｓ３２及びＳ３３が実行されてから、後述するＳ３６の処理が実行される。また、この場合、Ｓ３２で生成される画像データには、利用者番号と、入場料、入場時刻、及び退場予定時刻とを含む利用者情報を示すバーコードＢ１の画像データが含まれる。
【００５８】
ｎ≧Ｎの場合（Ｓ３４でＹＥＳ）、制御部１０は、人数表１１２を参照して、入場者数が定員Ｌ以下であるか否かを判定し（Ｓ３６）、定員Ｌ以下である場合（Ｓ３６でＹＥＳ）、記憶部１１に一時的に記憶させた入場時刻を削除してから、処理をＳ１１へ戻す。
入場者数が定員Ｌを超過している場合（Ｓ３６でＮＯ）、制御部１０は、開閉部１５４を制御することによって投入口１５０を閉鎖させ（Ｓ３７）、入場可否ランプ１３２を消灯させる（Ｓ３８）。
次いで、制御部１０は、後述するＳ５４の処理が実行されたか否か、即ち人数表１１２が更新されたか否かを判定し（Ｓ３９）、更新されていない場合（Ｓ３９でＮＯ）、Ｓ３９の処理を繰り返し実行する。
【００５９】
人数表１１２が更新された場合（Ｓ３９でＹＥＳ）、制御部１０は、人数表１１２を参照して、入場者数が定員Ｌ以下であるか否かを判定し（Ｓ４０）、定員Ｌを超過している場合（Ｓ４０でＮＯ）、処理をＳ３９へ戻す。
入場者数が定員Ｌ以下である場合（Ｓ４０でＹＥＳ）、制御部１０は、開閉部１５４を制御することによって投入口１５０を開放させ（Ｓ４１）、入場可否ランプ１３２を点灯させる（Ｓ４２）。最後に、制御部１０は、記憶部１１に一時的に記憶させた入場時刻を削除してから、処理をＳ１１へ戻す。
【００６０】
図７及び図８は、記憶部１１に記憶される団体表１１３及び個人表１１４の一例を示す模式図である。団体表１１３及び個人表１１４夫々は、制御部１０によって記憶部１１に記憶される。団体表１１３及び個人表１１４を記憶している記憶部１１は、本発明の実施の形態における退場記憶部及び時刻記憶部として機能する。
図７に示す団体表１１３には、団体情報と団体退場時刻とが関連付けて記憶される。団体退場時刻とは、団体退場時刻に関連付けられている団体情報によって識別される団体に所属する団体利用者の内、最初に退場した団体利用者の退場時刻である。団体情報及び団体退場時刻は、Ｎ人の団体利用者全員が退場手続きを済ませた後で削除されてもよい。
【００６１】
図８に示す個人表１１４には、有効退場時刻と、この有効退場時刻が無効になる無効時刻とが関連付けて記憶される。有効退場時刻及び無効時刻は、現在日時が無効時刻を過ぎた場合に削除されてもよい。
ただし、図７中に記載の団体退場時刻、並びに図８中に記載の有効退場時刻及び無効時刻夫々は、日付の記載を省略したものである。
【００６２】
図９及び図１０は、入退場課金装置１で実行される退場演算処理の手順を示すフローチャートである。以下では、利用者が入場券Ｓ１及び割引券Ｓ２を管理者に手渡した場合を主に説明する。
図９に示すように、制御部１０は、読取部１７がバーコードＢ１，Ｂ２を読み取ったか否かを判定し（Ｓ５１）、読み取っていない場合（Ｓ５１でＮＯ）、Ｓ５１の処理を繰り返し実行する。Ｓ５１における制御部１０は、バーコードＢ１，Ｂ２の一方を読み取ってから所定時間以内に他方を読み取った場合に、バーコードＢ１，Ｂ２を読み取ったと判定する。バーコードＢ２のみを読み取った場合、又はバーコードＢ１，Ｂ２を両方とも読み取っていない場合、制御部１０は、バーコードＢ１，Ｂ２を読み取っていないと判定する。なお、バーコードＢ１のみを読み取った場合（即ち、利用者が入場券Ｓ１のみを管理者に手渡した場合）、制御部１０は、後述するＳ５２以降の処理を実行するが、このとき、バーコードＢ２に関する処理は実行しない。
【００６３】
バーコードＢ１，Ｂ２を読み取った場合（Ｓ５１でＹＥＳ）、制御部１０は、時計部１２が計時した日時を読取時刻として記憶部１１に一時的に記憶する（Ｓ５２）。また、制御部１０は、バーコードＢ１，Ｂ２を読み取ることによって抽出された利用者情報及び割引券情報を記憶部１１に一時的に記憶する（Ｓ５３）。更に、制御部１０は、人数表１１２を更新する（Ｓ５４）。この結果、入場者数の減少分が演算される。Ｓ５４における制御部１０は、本発明の実施の形態における演算部として機能する。
次に、制御部１０は、Ｓ５４で記憶部１１に記憶した利用者情報が団体情報を含むか否かを判定し（Ｓ５５）、含む場合（Ｓ５５でＹＥＳ）、利用者情報に含まれている団体情報が団体表１１３に記憶済みであるか否かを判定する（Ｓ５６）。
団体情報が団体表１１３に記憶済みである場合（Ｓ５６でＹＥＳ）、制御部１０は、団体表１１３にて団体情報に関連付けられている団体退場時刻を、追加料金精算用の退場時刻（以下、精算退場時刻）とする（Ｓ５７）。この結果、同一の団体に所属する団体利用者は同一時刻に退場したものと看做して、Ｓ７２の精算処理を実行することができる。
【００６４】
団体情報が団体表１１３にまだ記憶されていない場合（Ｓ５６でＮＯ）、制御部１０は、Ｓ５４で記憶部１１に記憶した読取時刻を団体退場時刻とし（Ｓ５８）、団体表１３に団体情報と団体退場時刻とを関連付けて記憶させ（Ｓ５９）、処理をＳ５７へ移す。
利用者情報が団体情報を含んでいない場合（Ｓ５５でＮＯ）、制御部１０は、個人表１１４に、有効退場時刻が記憶されているか否かを判定する（Ｓ６０）。Ｓ６０における制御部１０は、Ｓ５４で記憶部１１に記憶した読取時刻より遅い無効時刻（以下、有効な無効時刻という）が記憶されているか否かを判定し、有効な無効時刻が記憶されている（又は記憶されていない）場合には、有効退場時刻が記憶されている（又は記憶されていない）と判定する。
【００６５】
有効退場時刻が記憶されている場合（Ｓ６０でＹＥＳ）、制御部１０は、個人表１１４にて有効な無効時刻に関連付けられている有効退場時刻の内、最も早い有効退場時刻を、精算退場時刻とする（Ｓ６１）。この結果、同時的に退場した利用者は同一時刻に退場したものと看做して、Ｓ７２の精算処理を実行することができる。なお、Ｓ５６でＮＯの場合にも、有効退場時刻が記憶されているのであれば、Ｓ５８の処理で、最も早い有効退場時刻を団体退場時刻としてもよい。
有効退場時刻が記憶されていない場合（Ｓ６０でＮＯ）、制御部１０は、読取時刻を精算退場時刻とする（Ｓ６２）。
以上のように、精算退場時刻とは、Ｓ５２の処理を実行した場合に、又はＳ５２の処理を実行する前に、時計部１２を用いて制御部１０が特定した退場時刻である。
【００６６】
Ｓ５７、Ｓ６１、又はＳ６２の処理終了後、図１０に示すように、制御部１０は、利用者情報に含まれている入場時刻に基づいて、追加料金の有効基本金額Ａを料金表１１１から読み出す（Ｓ７１）。つまり、Ｓ７１における制御部１０は、本発明の実施の形態における読出部として機能する。
次に、制御部１９は、利用者情報に含まれている退場予定時刻、Ｓ５４で記憶部１１に記憶した割引券情報に含まれている値引情報、及び精算退場時刻に基づいて、追加料金を精算する（Ｓ７２）。Ｓ７２における制御部１０は、本発明の実施の形態における精算部として機能する。
【００６７】
本実施の形態では、値引情報は、例えば延長３０分無料、というようなものである。換言すれば、本実施の形態の値引情報は、退場予定時刻T1を、値引時間FH（この場合、３０分）だけ遅い時刻に変更するものである。従って、Ｓ７２における制御部１０は、実際の延長時間EHを、退場予定時刻T1、精算退場時刻T2、及び値引時間FHに基づき、次の式（３）を用いて算出する。なお、Ｓ５１でバーコードＢ２を読み取っていない場合、制御部１０は、値引時間FH＝０とすればよい。
EH＝T2−T1−FH…（３）
次に、本実施の形態では、追加料金は延長１５分毎に発生するため、制御部１０は、次の式（４）に基づき、小数点以下を切り捨てにすることによって、整数CCを算出する。
CC＝EH／15…（４）
最後に、制御部１０は、次の式（５）に基づき、追加料金ACを算出する。
AC＝Ａ×CC…（５）
【００６８】
Ｓ７２の処理終了後、制御部１０は、Ｓ７２で精算した追加料金ACが正値であるか否かを判定する（Ｓ７３）。
AC≦０である場合（Ｓ７３でＮＯ）、追加料金が発生しなかったため、制御部１０は、追加料金ACに“０”をセットし（Ｓ７４）、文字盤１３１に追加料金ACを表示させ（Ｓ７５）、退去可否ランプ１３３を青く点灯させる（Ｓ７６）。このとき、制御部１０は、自動的に、又は、利用者が図示しない領収書発行キーを操作した場合に、記録部１６を用いて、領収書を発行する構成でもよい。領収書には、例えば入場料及び追加料金と、入場時刻及び延長時間EHとを示す画像が記録される。
文字盤１３１に表示された金額、又は退去可否ランプ１３３の色を視認した利用者は、遊技場から退去する。
【００６９】
更に、制御部１０は、履歴表１１０を更新し（Ｓ７７）、記憶部１１に一時的に記憶させた読取時刻、利用者情報、及び値引情報を消去してから、処理をＳ５１へ戻す。ここで、Ｓ７６における制御部１０は、利用者情報に含まれているものと同じ利用者番号に関連付けて、読取時刻、精算退場時刻、割引券情報、及び追加料金を、履歴表１１０に記憶してある利用履歴情報に追加する。
Ｓ７６の処理で点灯した退去可否ランプ１３３は、所定の点灯継続時間が経過した場合か、又は、Ｓ１１若しくはＳ５１の処理でＹＥＳと判定された場合に、消灯する。また、Ｓ７５又は後述するＳ８２の処理で文字盤１３１に表示された数字は、退去可否ランプ１３３の消灯と同時的に消去される。
【００７０】
AC＞０である場合（Ｓ７３でＹＥＳ）、追加料金が発生したため、制御部１０は、文字盤１３１に追加料金ACを表示させ（Ｓ７８）、退去可否ランプ１３３を赤く点灯させる（Ｓ７９）。
文字盤１３１に表示された金額を視認した利用者は、表示された金額に等しい追加料金を投入口１５０に投入する。
Ｓ７６の処理終了後、制御部１０は、読取時刻を有効退場時刻とし、有効退場時刻から所定待ち時間（本実施の形態では２分）だけ遅い時刻を無効時刻として、有効退場時刻及び無効時刻を個人表１１４に記憶させる（Ｓ８０）。何故ならば、利用者が追加料金を支払っている間に、この利用者と同時的に退場した利用者の待ち行列が生じている可能性があるからである。
【００７１】
また、制御部１０は、識別部１５１から入力された金額信号に基づいて、入金受付部１５に追加料金ACが入金されたか否かを判定する（Ｓ８１）。まだ入金されていない場合、又は入金された金額が不足している場合（Ｓ８１でＮＯ）、制御部１０は、Ｓ８１の処理を繰り返し実行する。
入金受付部１５に追加料金ACが入金された場合（Ｓ８１でＹＥＳ）、制御部１０は、文字盤１３１に“０”を表示させ（Ｓ８２）、処理をＳ７６へ移す。
【００７２】
以上のような入退場課金装置１は、入場時に入場料を自動的に徴収し、退場時に追加料金を自動的に精算し、追加料金が発生した場合には、追加料金を自動的に徴収することができる。従って、入退場時の課金に係る人為的ミス及び金銭トラブル等の発生を抑制することができる。
また、記憶部１１に記憶される履歴表１１０を参照すれば、遊技場の利用状況を容易に把握することができる。例えば、利用者番号の個数を計数すれば、遊技場の利用者数がわかる。履歴表１１０は、例えばパーソナルコンピュータを入退場課金装置１に直結することによって、記憶部１１から読み出される。
なお、入退場課金装置１は、例えばＬＡＮ又はインターネット等を介して、履歴表１１０を所定のサーバへ送信する構成でもよい。或いは、入退場課金装置１は、例えば履歴表１１０に基づく売上明細票を、記録部１６で記録シートに記録可能な構成でもよい。
【００７３】
更に、入退場課金装置１は、団体利用の場合に、ｍ（ｍはｍ≦Ｎの自然数）人分のバーコードＢ１，Ｂ１，…を連続的に読み取り、ｍ人分をまとめて精算する構成、又は、１人分のバーコードＢ１を読み取り、Ｎ人全員分をまとめて精算する構成でもよい。
更にまた、入退場課金装置１の各種設定情報（例えば料金情報）を示すバーコードを読取部１７が読み取り、読み取った各種設定情報に従って制御部１０が入退場課金装置１を制御する（例えば読み取った料金情報で料金表１１１を更新する）構成でもよい。
団体利用者が同時的に退場しない場合には、個人利用者と同様に処理してもよい。
ところで、所定の時間間隔で遊技場内の利用者を完全に入れ替える場合には、入場者数の計数及び退場時の精算が不要である。この場合、制御部１０は、退場演算処理を実行せず、且つ、入場演算処理では、Ｓ１３の処理及びＳ３６以降の処理を実行せず、Ｓ３４でＹＥＳの場合には、Ｓ３６でＹＥＳと判定された場合と同様に処理すればよい。
【００７４】
実施の形態  ２．
図１１は、本発明の実施の形態２に係る入退場課金システム２の構成を示すブロック図である。
入退場課金システム２は、遊技場の入場口に設置される入場時課金装置３と、退場口に設置される退場時精算装置４とを備える。入場時課金装置３及び退場時精算装置４夫々は、スタンドアロンの装置である。
入場時課金装置３（又は退場時精算装置４）は、実施の形態１の入退場課金装置１の入場手続き（又は退場手続き）に係る動作を行なうものであり、退場手続き（又は入場手続き）のみに必要な各部を備えていない。このため、入場時課金装置３は、制御部３０、記憶部３１、時計部３２、表示部３３、操作部３４、入金受付部３５、及び記録部３６を備える。一方、退場時精算装置４は、制御部４０、記憶部４１、時計部４２、表示部４３、入金受付部４５、及び読取部４７を備える。
その他、実施の形態１に対応する部分には同一符号を付してそれらの説明を省略する。
【００７５】
制御部３０，４０夫々のハードウェア構成（以下、単にハード構成という）は、実施の形態１の制御部１０と同様であり、夫々が入場時課金装置３又は退場時精算装置４の制御中枢として機能する。
記憶部３１，４１夫々のハード構成は、実施の形態１の記憶部１１と同様である。しかしながら、記憶部３１，４１夫々には実施の形態１の人数表１１２に相当するものは記憶されていない。何故ならば、入場時課金装置３（又は退場時精算装置４）単体では、実施の形態１の入退場課金装置１と同様に入場者数を計数することができないからである。
【００７６】
このため、制御部３０は、実施の形態１の入場演算処理（図５及び図６参照）と略同様の入場演算処理を実行するが、この入場演算処理では、Ｓ１３の処理及びＳ３６以降の処理を実行せず、Ｓ３４でＹＥＳの場合には、Ｓ３６でＹＥＳと判定された場合と同様に処理する。また、制御部４０は、実施の形態１の退場演算処理（図９及び図１０参照）と略同様の退場演算処理を実行するが、この退場演算処理では、Ｓ５４の処理を実行しない。更に、入金受付部３５，４５は、実施の形態１の入金受付部１５と略同様の構成であるが、何れも、開閉部１５４に相当するものは備えていない。このような入金受付部３５（又は入金受付部４５）は、本発明の実施の形態における第１入金受付部（又は第２入金受付部）として機能する。
【００７７】
また、記憶部３１には、実施の形態１の団体表１１３及び個人表１１４に相当するものは記憶されない。一方、記憶部４１には、団体表１１３及び個人表１１４が記憶される。
記憶部３１，４１夫々には、実施の形態１の履歴表１１０及び料金表１１１に相当するものが記憶される。ただし、記憶部３１に記憶される履歴表には、Ｎ人分の利用者番号、団体情報、入場時刻、退場予定時刻、及び入場料を関連付けてなる利用履歴情報（Ｓ２２の処理参照）が蓄積される。一方、記憶部４１に記憶される履歴表には、利用者番号、読取時刻、精算退場時刻、割引券情報、及び追加料金が、利用履歴情報として記憶される（Ｓ７７の処理参照）。つまり、記憶部３１側の利用履歴情報と記憶部４１側の利用履歴情報とを、利用者番号を用いて結合すれば、実施の形態１の履歴表１１０が得られる。また、記憶部３１（又は記憶部４１）に記憶される料金表には、料金条件と、徴収すべき入場料（又は追加料金）に係る料金情報とが関連付けて記憶してある。
【００７８】
入退場課金システム２においては、時計部３２を用いて制御部３０が入場時刻を特定し、時計部４２を用いて制御部４０が退場時刻を特定する。このため、単一の時計部１２を用いて入退場時刻を計時する場合とは異なり、時計部３２，４２の少なくとも一方が計時した日時が狂っていた場合には、時計部３２，４２によって計時される時間に誤差が生じる。そこで、時計部３２，４２夫々は、例えば電波時計を用いて、適宜のタイミングで自動的に時刻合わせを行なうように構成される。以上のような制御部３０及び時計部３２（又は制御部４０及び時計部４２）は、本発明の実施の形態における第１特定部及び第１時計部（又は第２特定部及び第２時計部）として機能する。
【００７９】
なお、入場時課金装置３と退場時精算装置４とを専用線又はＬＡＮ等を介して通信可能に接続しておき、制御部３０，４０が記憶部３１を共用し、時計部３２，４２を同期させる構成としてもよい。この場合、記憶部３１には、履歴表１１０、料金表１１１、人数表１１２、団体表１１３、及び個人表１１４夫々が記憶される。
或いは、入退場課金システム２が、記憶部１１及び時計部１２を内蔵するサーバを備え、このサーバを、制御部３０，４０が共用する構成でもよい。
また、時計部３２，４２を、管理者が手動で時刻合わせしてもよい。又は、時計部３２，４２の誤差は、例えば５分以内であると仮定し、制御部４０が、式（３）によって算出された延長時間EHから５分減算してから式（４）の演算を行なう構成でもよい。
【００８０】
表示部３３（又は表示部４３）は、実施の形態１の文字盤１３１及び入場可否ランプ１３２（又は文字盤１３１及び退去可否ランプ１３３）を備える。
操作部３４（又は記録部３６）のハード構成は、実施の形態１の操作部１４（又は記録部１６）と同様である。なお、退場時精算装置４は、記録部１６と同様のハード構成を有する記録部を備えていてもよい。この場合、退場時精算装置４にて領収書の発行又は割引券Ｓ２の発券が可能になる。
読取部４７のハード構成は、実施の形態１の読取部１７と同様である。読取部４７は本発明の実施の形態における読取部、時刻抽出部、及び値引抽出部として機能する。
【００８１】
以上のような入退場課金システム２においては、入場時に入場時課金装置３が入場料を自動的に徴収し、退場時に退場時精算装置４が追加料金を自動的に精算し、追加料金が発生した場合には、追加料金を自動的に徴収することができる。従って、入退場時の課金に係る人為的ミス及び金銭トラブル等の発生を抑制することができる。
しかも、入場演算処理を制御部３０が実行し、退場演算処理を制御部４０が実行するため、制御部３０，４０夫々の演算負荷を軽減することができる。
なお、所定の時間間隔で遊技場内の利用者を完全に入れ替える場合には、退場時の精算が不要であるため、退場時精算装置４を停止させておけばよい。
【００８２】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。また、本発明の効果がある限りにおいて、入退場課金装置１又は入退場課金システム２に、実施の形態１，２に開示されていない構成要素（例えば防犯用ブザー）が含まれていてもよい。
【符号の説明】
【００８３】
１    入退場課金装置
１０  制御部（特定部，設定部，精算部，読出部，演算部）
１１  記憶部（料金記憶部，退場記憶部，時刻記憶部）
１２  時計部
１４  操作部（人数受付部）
１５  入金受付部（第１入金受付部，第２入金受付部）
１６  記録部
１７  読取部（時刻抽出部，値引抽出部，団体抽出部）
２    入退場課金システム
３    入場時課金装置
３０  制御部（第１特定部，設定部）
３２  時計部（第１時計部）
３５  入金受付部（第１入金受付部）
３６  記録部
４    退場時精算装置
４０  制御部（第２特定部，精算部）
４２  時計部（第２時計部）
４５  入金受付部（第２入金受付部）
４７  読取部（時刻抽出部）
Ｂ１  バーコード（入場に関する時刻を示す画像）
Ｂ２  バーコード（値引情報を示す画像）
Ｓ１  入場券（記録シート）
Ｓ２  割引券（記録シート）
【図１】
2011048683.tif 000003
【図２】
2011048683.tif 000004
【図３】
2011048683.tif 000005
【図４】
2011048683.tif 000006
【図５】
2011048683.tif 000007
【図６】
2011048683.tif 000008
【図７】
2011048683.tif 000009
【図８】
2011048683.tif 000010
【図９】
2011048683.tif 000011
【図１０】
2011048683.tif 000012
【図１１】
2011048683.tif 000013